(57)【特許請求の範囲】
【請求項１】
薬を１回に服用すべき単位で分別して収納可能な薬箱であって、
略直方体で、マトリックス状に区分けされた各区分の前後に開口が設けられた引き出し収納部を具えた箱体と、
周壁で囲まれ下部に投下口を形成した収納容器とこの収納容器の下部にスライド挿入して該投下口を塞ぐ底板を具えた閉塞部材とで構成された引き出しであって、上記引き出し収納部の各区分に収められ１回に服用すべき単位の薬が収納される引き出しとを有し、
上記箱体と閉塞部材とは係止部によって係止されて前方には収納容器のみが上記箱体に対して摺動可能になっていて、収納容器を前方に引き出すと上記閉塞部材の底板によって塞がれていた投下口が開放されて１回分の薬が投下される一方で、上記引き出しにおける収納容器と閉塞部材とは係合部によって係合されて後方には上記収納容器と閉塞部材との両部材が共に上記箱体に対して摺動するようになっていて、上記引き出しを後方に引き出すと上記収納容器の投下口が閉塞部材の底板で塞がれた状態が保たれて薬の投入が可能になることを特徴とする薬箱。
【請求項２】
薬を１回に服用すべき単位で分別して収納可能な薬箱であって、
略直方体で、マトリックス状に区分けされた各区分の前後に開口が設けられた引き出し収納部を具えた箱体と、
周壁で囲まれた容器の底板の一部が後部に設けたヒンジを介して前側に開閉する開閉板になっていて、上記引き出し収納部の各区分に収められ１回に服用すべき単位の薬が収納される引き出しとを有し、
上記引き出しを前方に引き出すと開閉板が開いて１回分の薬が投下される一方で、上記引き出しを後方に引き出すと開閉板を閉じた状態が保たれ薬の投入が可能になることを特徴とする薬箱。
【請求項３】
上記箱体は、上記引き出し収納部の下方に位置し幅方向全体に及ぶ開口が前側に設けられた受け皿収納部を具え、この受け皿収納部に受け皿が摺動自在に収められていて、この受け皿を引き出した状態で引き出しから投下される１回分の薬を受け止める構成とした請求項１又は請求項２記載の薬箱。
【請求項４】
上記箱体の前側を覆い、箱体の下部を回動支点として略９０度開閉自在になっている蓋体を有し、この蓋体を開いた状態で引き出しから投下される１回分の薬を受け止める構成とした請求項１又は請求項２記載の薬箱。
【請求項５】
上記引き出し収納部は、行と列の組み合わせが、３×７又は４×７のマトリックスになっている請求項１〜請求項４のいずれかに記載の薬箱。
【請求項６】
上記引き出しに、薬の取り出しの有無を識別するための識別手段が設けられている請求項１〜請求項５のいずれかに記載の薬箱。
【発明の詳細な説明】
【０００１】
【発明の属する技術分野】
本発明は、薬を１回に服用すべき単位で分別して収納可能な薬箱に関する。
【０００２】
【従来の技術】
従来、病院などでは一つの袋に数日分の薬をまとめて収納して患者に渡している。そして、患者は、袋に記載された服用方法にしたがって、自ら薬を選び出して服用している。
【０００３】
【発明が解決しようとする課題】
高齢化社会にあって高齢者が今後も益々増加する傾向にあり、薬を服用する高齢者が増加する一方で、病院から貰う薬の種類が多くなってきている。
【０００４】
こうした情況にあって、高齢者が、定められた指示に従って薬を服用することは非常に難しい。例えば、多種類の薬を多量にもらった場合など、朝のみの薬、朝夜二回の薬、朝、昼、夜三度の薬、就寝前の薬など、薬の種類、服用すべき数、服用時間などを理解した上で、服用すべき薬を服用のたびに間違いなく選び出すことは高齢者にとって極めて困難である。このため、家族や介護者などが薬の服用状態を監視し、管理しなければならないケースも多い。
【０００５】
しかしながら、薬を服用したか否かは、薬の残量で確認する程度のことしかできず、例えば、仮に薬の残量が予定より多いことに気づいたとしても、一日に何度も確認していない限り、いつ服用し忘れたのか、あるいは、いつ服用量を間違えたのかといったことまでをはっきりと把握することは困難である。
【０００６】
そこで、市販の収納ケース等に薬を１回に服用すべき単位で分別して収納することが考えられるが、高齢者が細かく区分けされた引き出しの中からカプセルや錠剤の小さな薬を取り出すといった細かい動作をすることは難しく、他人の手を借りなければならないことが多い。こうした問題は、手の不自由な障害者にとっても同様である。
【０００７】
本発明は、こうした従来技術の課題を解決するものであり、薬を１回に服用すべき単位で分別して収納することができ、服用すべき日時を明確化し得る共に薬の取り出しを簡単に行うことができる薬箱を提供することを目的とする。
【０００８】
【課題を解決するための手段】
本発明の薬箱は、薬を１回に服用すべき単位で分別して収納可能な薬箱であって、
略直方体で、マトリックス状に区分けされた各区分の前後に開口が設けられた引き出し収納部を具えた箱体と、周壁で囲まれ下部に投下口を形成した収納容器とこの収納容器の下部にスライド挿入して該投下口を塞ぐ底板を具えた閉塞部材とで構成された引き出しであって、上記引き出し収納部の各区分に収められ１回に服用すべき単位の薬が収納される引き出しとを有し、上記箱体と閉塞部材とは係止部によって係止されて前方には収納容器のみが上記箱体に対して摺動可能になっていて、収納容器を前方に引き出すと上記閉塞部材の底板によって塞がれていた投下口が開放されて１回分の薬が投下される一方で、上記引き出しにおける収納容器と閉塞部材とは係合部によって係合されて後方には上記収納容器と閉塞部材との両部材が共に上記箱体に対して摺動するようになっていて、上記引き出しを後方に引き出すと上記収納容器の投下口が閉塞部材の底板で塞がれた状態が保たれて薬の投入が可能に構成されている。
【０００９】
この構成によれば、引き出しに薬を１回に服用すべき単位で分別して収納することが可能となると共に、この引き出しを箱体のマトリックス状に区分けされた引き出し収納部に薬を服用すべき日時を明確化して収めることが可能となる。
【００１０】
また、引き出しを前方に引き出すと、閉塞部材が箱体との係止部によって係止され、収納容器のみが前方に引き出され、収納容器の下部の投下口が開放されて１回分の薬が投下されるため、薬の取り出しが容易となる。他方、引き出しを後方に引き出すと、収納容器と閉塞部材とは係合部によって係合されているので、収納容器の投下口が塞がれた状態が保たれ薬の投入を行うことが可能となる。
【００１１】
本発明の他の薬箱は、薬を１回に服用すべき単位で分別して収納可能なものであって、略直方体で、マトリックス状に区分けされた各区分の前後に開口が設けられた引き出し収納部を具えた箱体と、周壁で囲まれた容器の底板の一部が後部に設けたヒンジを介して前側に開閉する開閉板になっていて、上記引き出し収納部の各区分に収められ１回に服用すべき単位の薬が収納される引き出しとを有し、上記引き出しを前方に引き出すと開閉板が開いて１回分の薬が投下される一方で、上記引き出しを後方に引き出すと開閉板を閉じた状態が保たれ薬の投入が可能に構成されている。
【００１２】
この構成によれば、先の薬箱と同様に、引き出しに薬を１回に服用すべき単位で分別して収納することが可能となると共に、この引き出しを箱体のマトリックス状に区分けされた引き出し収納部に薬を服用すべき日時を明確化して収めることが可能となる。
【００１３】
また、引き出しを前方に引き出すと、開閉板が底板後部に設けたヒンジを介して前側に開いて１回分の薬が投下されるため、薬の取り出しが容易となる。他方、引き出しを後方に引き出すと、開閉板の前側が引き出し収納部における各区分の底面で支持されるので、開閉板が閉じた状態で保たれるため、薬の投入を行うことが可能となる。
【００１４】
上記の各薬箱において、上記箱体は、上記引き出し収納部の下方に位置し幅方向全体に及ぶ開口が前側に設けられた受け皿収納部を具え、この受け皿収納部に受け皿が摺動自在に収められていて、この受け皿を引き出した状態で引き出しから投下される１回分の薬を広い受け皿で受け止める構成にすると、薬の取り出しが更に容易となる。
【００１５】
また、上記箱体の前側を覆い、箱体の下部を回動支点として略９０度開閉自在になっている蓋体を有し、この蓋体を開いた状態で引き出しから投下される１回分の薬を広い蓋体で受け止める構成にしても、同様に薬の取り出しが更に容易となる。
【００１６】
上記引き出し収納部は、行と列の組み合わせが、３×７又は４×７のマトリックスになっている構成にすると、３×７のマトリックスの場合は、例えば、朝、昼、夜の食後に服用する薬を１週間単位で引き出し収納部に薬を服用すべき日時を明確化して収めることが可能となる。４×７のマトリックスの場合は、例えば、朝、昼、夜の食後と就寝前に服用する薬を１週間単位で引き出し収納部に薬を服用すべき日時を明確化して収めることが可能となる。
【００１７】
上記引き出しに、薬の取り出しの有無を識別するための識別手段が設けられている構成にすると、引き出しの識別手段によって薬の取り出しの有無を識別することによって、服用すべき薬を忘れることなく確認しながら確実に服用することが可能となる。
【００１８】
【発明の実施の形態】
以下に、本発明の実施の形態を図面に基づいて具体的に説明する。
【００１９】
（第１の実施形態）
図１〜図３は、本発明の第１の実施形態による薬箱１の構成例を示す。ここで、図１は正面図を、図２は図１におけるＰ−Ｐ断面を表す断面図を、図３は一部を部分断面で示す上視図をそれぞれ示す。
【００２０】
この薬箱１は、図１に示すように、行方向Ｍ及び列方向Ｎに４行×７列のマトリックス状に区分けされた引き出し収納部１０ａを具えた箱体１０と、引き出し収納部１０ａの各区分に収められ１回に服用すべき単位の薬が収納される引き出し２０と、箱体１０における引き出し収納部１０ａの下方に位置し幅方向全体に及ぶ開口が前側に設けられた受け皿収納部１０ｂを具え、この受け皿収納部１０ｂに受け皿３０が摺動自在に収められている。
【００２１】
上記引き出し収納部１０ａには、薬箱１の前面に行方向Ｍに月〜日の曜日の表示と列方向Ｎに朝、昼、夜、就寝前の表示が各区分に対応して施されている。そして、例えば、朝、昼、夜の食後と就寝前に服用する薬を１回に服用すべき単位で引き出し２０に収め、月曜日から日曜日までの１週間単位で薬を服用する日時を明確化して収めることができるようになっている。
【００２２】
より詳しくは、箱体１０は、図４及び図５に示す略直方体の箱本体１１と、この箱本体１１の前後に填め込まれる図６に示す枠体１２で構成されている。
【００２３】
箱本体１１は、図４に示すように、行方向Ｍに走る隔壁１１ｃと列方向Ｎに走る隔壁１１ｄによって、４行×７列のマトリックス状に区分けされ前後が開口した引き出し収納空間１１ａと、この引き出し収納空間１１ａの下方に位置し幅方向全体に及ぶ開口が前後に設けられた受け皿収納空間１１ｂを具える。また、箱本体１１は、図５に示すように、前側及び後側における上下面の適所に係合溝１１ｅが形成されている。同様に左右面の適所にも係合溝１１ｅ（図３参照）が形成されている。
【００２４】
枠体１２は、図６（ａ）に示すように、行方向Ｍに走る横枠１２ｃと列方向Ｎに走る縦枠１２ｄによって、４行×７列のマトリックス状に配置された開口１２ａと、その下方に位置し幅方向全体に及ぶ開口１２ｂを有する。そして、各開口１２ａの口元の下側には係止溝１２ｆが形成されている。また、枠体１２の後側には、図６（ｂ）に示すように、上下壁の適所に内側に突出する係合突起１２ｅが形成されている。同様に左右壁の適所にも係合突起１２ｅ（図３参照）が形成されている。
【００２５】
そして、箱体１０は、図２及び図３に示すように、箱本体１１の前後に枠体１２を填め込み、係合溝１１ｅと係合突起１２ｅによって係合されるようになっている。
【００２６】
引き出し２０は、図７に示す周壁で囲まれ下部に投下口２１ａを形成した収納容器２１と、この収納容器２１の下部の前後方向に走る案内溝２１ｃにスライド挿入して投下口２１ａを塞ぐ図８に示す底板２２ａを具えた閉塞部材２２とで構成されていて、１回に服用すべき単位の薬が収納され上記引き出し収納部１０ａの各区分に収められる。収納容器２１には、後側に取手２１ｂが設けられていると共に、後壁の下端部に係合溝２１ｄが形成されている。また、後壁から所定範囲の底面が傾斜面２１ｇになっている。閉塞部材２２の縦板２２ｂには、下部に係止突起２２ｃが形成されると共に、上部に係合突起２２ｄが形成されている。
【００２７】
また、引き出し２０の前側には、薬の取り出しの有無を識別するための識別手段として、図９に示す取手２３が設けられている。この取手２３は本体２３ａの左右端に回動用の軸２３ｂが突出形成されていて、この軸２３ｂを収納容器２１の軸支溝２１ｅに収めて取手２３を収納容器２１に装着するようになっている。この取手２３は、図２に示すように、図中のＨ方向に略１８０度回動できるようになっている。
【００２８】
受け皿３０は、図１０に示すように、本体３０ａに薬を受ける凹部３０ｂが広く形成されていると共に、前側に取手３０ｃが設けられている。そして、この受け皿３０は、図２に示すように、受け皿収納部１０ｂに摺動自在に収められる。
【００２９】
上記薬箱１では、図２に示すように、上記箱体１０と閉塞部材２２とは係止溝１２ｆと係止突起２２ｃによる係止部４１によって係止されて前方Ｆには収納容器２１のみが摺動可能になっている。従って、２点鎖線で示すように受け皿３０を予め引き出した状態で、引き出し２０を前方Ｆに引き出すと、閉塞部材２２は箱体１０との係止部４１によって係止され、収納容器２１のみが前方Ｆに引き出され、下部の投下口２１ａが開放されて１回分の薬が広い受け皿３０に投下されるため、薬の取り出しを簡単に行うことができる。また、収納容器２１の後壁から所定範囲の底面が傾斜面２１ｇになっているため、引き出し２０を前方Ｆに引き出した際に薬が収納容器２１内に残ることもない。
【００３０】
他方、引き出し２０における収納容器２１と閉塞部材２２とは係合溝２１ｄと係合突起２２ｄによる係合部４２によって係合されて、後方Ｇには両部材２１，２２が共に摺動するようになっている。従って、２点鎖線で示すように引き出し２０を後方Ｇに引き出すと、収納容器２１と閉塞部材２２とは係合部４２によって係合されているので、収納容器２１の投下口２１ａが閉塞部材２２の底板２２ａで塞がれた状態が保たれるため、上方から薬の投入を行うことができる。
【００３１】
また、取手２３は、図２に示すように、図中のＨ方向に略１８０度回動できるので、服用すべき薬を取り出した際に、２点鎖線で示すように取手２３を収納容器２１の内方側に回動するようにして、本人が服用すべき薬を忘れることなく確認しながら確実に服用することができるようにしている。また、家族や介護者等が取手２３の状態によって、薬の服用状態を監視し管理することもできる。
【００３２】
尚、収納容器２１の側壁には、図７に示すように、外方に突出する弾性係止突起２１ｆが形成されていて、図２に示すように、収納容器２１を前方Ｆ又は後方Ｇに大きく引き出した際に、弾性係止突起２１ｆが枠体１２における開口１２ａの縦枠１２ｄに当接して、収納容器２１が箱体１０から抜け出ないように係止する構造になっている。同様に、受け皿３０の側壁にも、図１０に示すように、外方に突出する弾性係止突起３０ｄが形成されていて、受け皿３０が箱体１０から抜け出ないように係止する構造になっている。
【００３３】
（第２の実施形態）
図１１〜図１３は、本発明の第２の実施形態による薬箱１Ｂの構成例を示す。
【００３４】
この薬箱１Ｂは、図１１に示すように、行方向Ｍ及び列方向Ｎに４行×７列のマトリックス状に区分けされ前後に開口が設けられた引き出し収納部５０ａを具えた箱体５０と、引き出し収納部５０ａの各区分に収められ１回に服用すべき単位の薬が収納される引き出し６０と、箱体５０の前側全体を覆い箱体５０の下部を回動支点として図中のＫ方向に略９０度開閉自在になっている蓋体５１を有する。
【００３５】
より詳しくは、引き出し６０は、図１２に示すように、周壁で囲まれた容器６１の底板の一部が後部に設けたヒンジ６３を介して前側Ｊに開閉する開閉板６２になっていて、上記引き出し収納部５０ａの各区分に収められ１回に服用すべき単位の薬が収納される。
【００３６】
また、引き出し６０の前側には、薬の取り出しの有無を識別するための識別手段として、取手６４が設けられている。この取手６４は容器６１の左右の側壁におけるＤ点を回動中心として想像線で図示するようにＣ方向に略２７０度回動可能に取り付けられている。
【００３７】
この薬箱１Ｂによれば、先の薬箱１と同様に、引き出し６０に薬を１回に服用すべき単位で分別して収納することができると共に、この引き出し６０を箱体５０のマトリックス状に区分けされた引き出し収納部５０ａに薬を服用すべき日時を明確化して収めることができる。
【００３８】
そして、図１１に示すように、この蓋体５１を予め開いた状態で、この引き出し６０を前方Ｆに引き出すと、開閉板６２が底板後部に設けたヒンジ６３を介して前側Ｊに開いて１回分の薬が広い蓋体５１に投下されるため、薬を簡単に取り出すことができる。
【００３９】
他方、図１３に示すように、引き出し６０を後方Ｇに引き出すと、開閉板６２の前側が引き出し収納部５０ａにおける各区分の底板５０ｂで支持されるので、開閉板６２が閉じた状態で保たれるため、薬の投入を行うことができる。
【００４０】
また、引き出し６０から服用すべき薬を取り出した際に、取手６４を容器６１の内方側に回動することによって、本人が服用すべき薬を忘れることなく確認しながら確実に服用することができる。また、家族や介護者等が取手６４の状態によって、薬の服用状態を監視し管理することもできる。
【００４１】
以上、本発明の薬箱は、上記した各実施形態の具体的構成に限定されるものではなく、必要に応じ適宜構成を変形、追加又は削除した構成としてもよいことは言うまでもない。
【００４２】
上記では、引き出し収納部１０ａを４行×７列のマトリックスとする構成例について説明したが、本発明はこれに限定されるものではなく、例えば、３行×７列のマトリックスとしてもよい。この場合には、例えば、朝、昼、夜の食後に服用する薬を１週間単位で引き出し収納部に薬を服用すべき日時を明確化して収めることができる。尚、行と列の組み合わせを逆としてもよく、例えば、７行×４列又は７行×３列のマトリックスとしてもよい。
【００４３】
また、上記では、識別手段として引き出しの取手を利用する構成例を示したが本発明はこれに限定されるものではなく、薬の取り出しの有無を識別できるものであれば他の手段を用いてもよい。例えば、引き出しの前面に見え隠れするスライド板を設けて、このスライド板の位置で薬の取り出しの有無を識別する構成としてもよい。
【００４４】
【発明の効果】
以上説明したように、本発明の薬箱によれば、引き出しに薬を１回に服用すべき単位で分別して収納することができると共に、この引き出しを箱体のマトリックス状に区分けされた引き出し収納部に薬を服用すべき日時を明確化して収めることができる。
【００４５】
収納容器と閉塞部材とを具えた引き出しを用いる薬箱では、引き出しを前方に引き出すと、閉塞部材が箱体との係止部によって係止され、収納容器のみが前方に引き出され、下部の投下口が開放されて１回分の薬が投下されるため、薬の取り出しを簡単に行うことができる。他方、引き出しを後方に引き出すと、収納容器と閉塞部材とは係合部によって係合されているので、収納容器の投下口が塞がれているため薬の投入を行うことができる。
【００４６】
開閉板を具えた引き出しを用いる薬箱では、引き出しを前方に引き出すと、開閉板が底板後部のヒンジを介して前側に開いて１回分の薬が投下されるため、薬の取り出しを簡単に行うことができる。他方、引き出しを後方に引き出すと、開閉板の前側が引き出し収納部における各区分の底面で支持されるので、開閉板が閉じた状態で保たれるため、薬の投入を行うことができる。
【００４７】
上記の各薬箱において、上記箱体は、上記引き出し収納部の下方に位置し幅方向全体に及ぶ開口が前側に設けられた受け皿収納部を具え、この受け皿収納部に受け皿が摺動自在に収められていて、この受け皿を引き出した状態で引き出しから投下される１回分の薬を広い受け皿で受け止める構成にすると、薬の取り出しが更に容易となる。
【００４８】
また、上記箱体の前側を覆い、箱体の下部を回動支点として略９０度開閉自在になっている蓋体を有し、この蓋体を開いた状態で引き出しから投下される１回分の薬を広い蓋体で受け止める構成にしても、同様に薬の取り出しが更に容易となる。
【００４９】
上記引き出し収納部は、具体的には、行と列の組み合わせが、３×７又は４×７のマトリックスになっている構成にすることが好ましい。３×７のマトリックスの場合は、例えば、朝、昼、夜の食後に服用する薬を１週間単位で引き出し収納部に薬を服用すべき日時を明確化して収めることができる。４×７のマトリックスの場合は、例えば、朝、昼、夜の食後と就寝前に服用する薬を１週間単位で引き出し収納部に薬を服用すべき日時を明確化して収めることができる。
【００５０】
更には、上記引き出しに、薬の取り出しの有無を識別するための識別手段が設けられている構成にすると、引き出しの識別手段によって薬の取り出しの有無を識別することによって、服用すべき薬を忘れることなく確認しながら確実に服用することができるようになる。
【図面の簡単な説明】
【図１】本発明の第１の実施形態による薬箱の構成例を示す正面図である。
【図２】図１におけるＰ−Ｐ断面を表す断面図である。
【図３】本発明の第１の実施形態による薬箱の構成例を一部を部分断面で示す上視図である。
【図４】本発明の第１の実施形態による薬箱に用いる箱本体の構成例を示す正面図である。
【図５】図４におけるＱ−Ｑ断面を表す断面図である。
【図６】本発明の第１の実施形態による薬箱に用いる枠体の構成例を示す図であって、（ａ）は正面図を、（ｂ）は（ａ）におけるＲ−Ｒ断面を表す断面図をそれぞれ示す。
【図７】本発明の第１の実施形態による薬箱に用いる引き出しの収納容器の構成例を示す図であって、（ａ）は上視図を、（ｂ）は前側側面図を、（ｃ）は（ａ）におけるＳ−Ｓ断面を表す断面図を、（ｄ）は（ｃ）におけるＴ−Ｔ断面を表す断面図をそれぞれ示す。
【図８】本発明の第１の実施形態による薬箱に用いる引き出しの閉塞部材の構成例を示す図であって、（ａ）は上視図を、（ｂ）は側面図をそれぞれ示す。
【図９】本発明の第１の実施形態による薬箱に用いる引き出しの取手の構成例を示す図であって、（ａ）は上視図を、（ｂ）は側面図をそれぞれ示す。
【図１０】本発明の第１の実施形態による薬箱に用いる受け皿の構成例を示す図であって、（ａ）は上視図を、（ｂ）は（ａ）におけるＵ−Ｕ断面を表す断面図をそれぞれ示す。
【図１１】本発明の第２の実施形態による薬箱の構成例を示す斜視図である。
【図１２】本発明の第２の実施形態による薬箱に用いる引き出しの構成例を示す斜視図である。
【図１３】本発明の第２の実施形態による薬箱の構成例を示す側面図である。
【符号の説明】
１，１Ｂ  薬箱
１０，５０  箱体
１０ａ，５０ａ  引き出し収納部
１０ｂ  受け皿収納部
２０，６０  引き出し
２１  収納容器
２１ａ  投下口
２２  閉塞部材
２２ａ  底板
２３，６４  取手（識別手段）
３０  受け皿
４１  係止部
４２  係合部
５１  蓋体
６１  容器
６２  開閉板
６３  ヒンジ
【図１】
0004454811.tif 000002
【図２】
0004454811.tif 000003
【図３】
0004454811.tif 000004
【図４】
0004454811.tif 000005
【図５】
0004454811.tif 000006
【図６】
0004454811.tif 000007
【図７】
0004454811.tif 000008
【図８】
0004454811.tif 000009
【図９】
0004454811.tif 000010
【図１０】
0004454811.tif 000011
【図１１】
0004454811.tif 000012
【図１２】
0004454811.tif 000013
【図１３】
0004454811.tif 000014